(57)【要約】      （修正有）【課題】男性器をピストン運動で刺激する際、副次的に恥骨周辺を刺激可能にして下半身の血行促進及び男性機能の回復を促すことのできる筒型マッサージ具を提供する。【解決手段】中の空洞が貫通した筒状の弾性素材において、底部から切込んだスリット７と底部溝５と側壁に空洞９と上蓋部３に突起物４を備えている。本マッサージ具の側壁の空洞を潰すことで、男性器を刺激するピストン運動による本マッサージ具を圧迫する力を窪みのある底にまで伝えず、男性器を刺激するピストン運動が離れる際に側壁の空洞が潰れた状態から元に戻ることにより弾性素材でできた本マッサージ具全体を振動させる。【選択図】図５
2016087389.tif 000002
【特許請求の範囲】
【請求項１】
中の空洞が貫通した筒状の弾性素材において、底部に窪みと底部からの切込みを有することを特徴とするマッサージ具。
【請求項２】
側壁に空洞と上蓋部に突起物を有する請求項１のマッサージ具。
【発明の詳細な説明】
【技術分野】
【０００１】本発明は男性器をピストン運動で刺激する際、副次的に恥骨周辺を刺激可能にして下半身の血行促進及び男性機能の回復を促すことのできる筒型マッサージ具に関するものである。
【背景技術】
【０００２】従来、鼠径部のリンパ節をマッサージして下半身の血行促進や男性機能の回復といった効果を得ようとした場合、個人では鼠径部のリンパマッサージによる効果的な刺激を行うことができなかった。【０００３】また、図５は従来の男性器の付け根から鼠径部を副次的に刺激可能とする男性用下半身衣類及びクッションにおいて貫通式クッションホルダーを有する男性用下半身衣類及び貫通式向けクッションの使用状態を示した正面図である。図５において、小用開口部表生地３に切り込まれた一対のスリット及び、小用開口部裏生地４に切り込まれた一対のスリットを備えており、前記スリットを折り返し、着衣した上でクッションホルダー間から男性器を露出させることで、第１貫通式クッションホルダー７及び第２貫通式クッションホルダー８を男性器の根元や恥骨へ密着させることを実現していた。
【先行技術文献】
【特許文献】
【０００４】
【特許文献１】特許公開２０１３−４８９０１
【発明の概要】
【発明が解決しようとする課題】
【０００５】上述の従来例ではクッションを男性器の根元や恥骨へ密着させるためには、着衣した状態でスリットを折り返し、クッションホルダー間から男性器を露出する必要があり、使用状態にするまでの手順が多く。初めて使用する人にとって使い方が理解しにくいという課題があった。【０００６】本発明は簡潔な使用法で、自身による鼠径部のリンパマッサージにより血行の促進や男性機能を回復を可能にすることのできる筒型マッサージ具を提供することである。
【課題を解決するための手段】
【０００７】上述した目的を達成するため、請求項１に記載の発明では中の空洞が貫通した筒状の弾性素材に底から切込んだスリットと溝を設けた筒型マッサージ具に、男性器を中の空洞に通し底からスリットを広げることで容易に筒状の男性素材の底を恥骨へ密着させ、男性器を刺激するピストン運動を行う際に本発明を副次的に圧迫するという手段を用いた。【０００８】また、筒状の弾性素材の空洞に男性器を通す際、底に設けた窪みを陰嚢の上に宛がうことでピストン運動で男性器を刺激して副次的に本発明を圧迫しても、睾丸を傷めることがない。【０００９】請求項２に記載の筒型マッサージ具では側壁に空洞と上蓋部に突起物を設けることで、男性器を刺激するピストン運動で上蓋部の突起物を圧迫し、本マッサージ具の側壁の空洞を潰すことで、男性器を刺激するピストン運動による本マッサージ具を圧迫する力を窪みのある底にまで伝えず、男性器を刺激するピストン運動が離れる際に側壁の空洞が潰れた状態から元に戻ることにより弾性素材でできた本マッサージ具全体を振動させることができる。
【発明の効果】
【００１０】本発明の筒型マッサージ具では、中の空洞に男性器を通し、底を恥骨へ密着させた状態で、ピストン運動によって男性器を刺激する際に本発明を副次的に圧迫することにより、鼠径部リンパ節をマッサージすることができる。【００１１】また、本発明では男性器をピストン運動で刺激する運動と鼠径部のリンパマッサージを併行して行うことが可能であり、軽度の運動と簡易的なリンパマッサージを同時に行うことで、従来より効率よく血行促進効果を得ることができる。【００１２】さらに、底に設けた窪みを陰嚢の上に宛がうことで、男性器を刺激するピストン運動で圧迫された本マッサージ具の底で睾丸を圧迫してしまうことを防ぐことができる。【００１３】また、底部からの切り込みを広げることで、前記底部分を恥骨へ密着させやすくすると共に、本発明の内側の側壁が男性器の根元へ密着しないため、男性器の根元への男性器を刺激するピストン運動による刺激を避けることで、過剰な刺激を与えることなく男性器を刺激するピストン運動と鼠径部へのマッサージを行うことができる。【００１４】また、リンパマッサージを行うには圧迫による刺激ではなく皮膚を擦る動きによる刺激を与えることが好ましいが、本筒型マッサージ具では、側壁に空洞を設けており。上蓋部に設けた突起物を、男性器を刺激するピストン運動で圧迫し、本筒型マッサージ具の側壁に設けた空洞を潰すことにより、前記ピストン運動により圧迫された力を窪み及び切り込みのある方の底にまで伝えず。変わりに、圧迫を終えた前記ピストン運動が本筒型マッサージ具から離れていく際に、圧迫により変形していた側壁の空洞が復元することで、弾性素材でできた本筒型マッサージ具を振動させ、恥骨と密着した底部分で鼠径部リンパ節に皮膚を擦るマッサージ効果を与えることができる。【００１５】したがって、本筒型マッサージ具では、従来より簡潔な使用手順を用いながら、男性器を刺激するピストン運動を振動に変換し、恥骨周辺に刺激を与えることで副次的に鼠径部リンパ節をマッサージ可能にすることができる。
【図面の簡単な説明】
【００１６】
【図１】本発明の底部窪み側からの斜視図
【図２】本発明の底部より一対のスリットが切り込まれた側からの斜視図
【図３】本発明の底部窪み側からの正面図
【図４】本発明の底部より一対のスリットが切り込まれた側からの正面図
【図５】本発明の使用状態における底部窪み側からの正面図
【図６】本発明の扇型突起物が圧迫された状態における底部窪み側からの正面図
【発明を実施するための形態】
【００１７】以下、本発明の好ましい実施の形態を添付した図面に従って説明する。図１は本発明の一実施形態に係る筒型マッサージ具の底部窪み１側からの斜視図であり、図１の示すように高弾性の柔らかい素材を筒型に成型し、貫通した中心の穴２を有するマッサージ具である。
【００１８】さらに、上蓋３部分には扇型突起４を有し、底部には底部窪み１が一つ設けてあり、底部窪み１の中央からは上蓋３に向かって底部窪みスリット５が切り込まれている。
【００１９】また、図２は本発明の底部６より一対のスリット７が切り込まれた側からの斜視図である。図２の示すように底部６より上蓋３に向かって一対のスリット７が切り込まれており、一対のスリット７の間に底部６及び上蓋３と繋がっていない非貫通スリット８が一対のスリット７と平行に切り込まれている。
【００２０】図３は本発明の一実施形態に係る筒型マッサージ具の底部窪み１側からの正面図であり、図４は本発明の一実施形態に係る底部６より一対のスリット７が切り込まれた側からの正面図である。図３、４が示すように扇型突起物４は上蓋３において一対のスリット７と底部窪み１の間に設けられており、前記扇型突起物４を有する側の側壁には三角形の空洞９が設けられている。
【００２１】また、図３，４が示すように三角形の空洞９は、上向きの三角であり三角形の空洞９の底辺は底部窪み１と同じ高さに揃えることが望ましい。さらに図４の示すように一対のスリット７間においては底部６が１ｃｍ程度はみ出している。
【００２２】図５は本発明の底部窪みスリット５及び一対のスリット７を広げた状態における底部窪み１側からの正面図であり、図６は本発明の底部窪みスリット５及び一対のスリット７を広げた状態においてピストン運動により圧迫された際の底部窪み１からの正面図である。以下、図５、６を参照して本発明が男性器を刺激するピストン運動により圧迫された際の動作について説明する。まず、男性器を中心の穴２に通し、一対のスリット７及び底部窪みスリット５を広げることで底部６を恥骨へと密着させ、男性器を刺激するピストン運動によって扇型突起物２及び上蓋３を圧迫することにより、軽度の運動を行いつつ鼠径部リンパ節をマッサージすることができる。
【００２３】また、男性器を中心の穴２に通す際に底部窪み１を陰嚢と重なるようにすることで、底部６が陰嚢と密着することを避けられるので男性器を刺激するピストン運動によって陰嚢を傷める心配がない。
【００２４】さらに、一対のスリット７及び底部窪みスリット５を広げることで、内部側壁１０が男性器の根元に密着しないため、男性器の根元には性的刺激を与えず緩衝帯とすることで、刺激部位の拡大によって過剰な刺激を与えることを防ぎ、鼠径部リンパ節へのマッサージを的確に行うことができる。
【００２５】図６の示すように、男性器を刺激するピストン運動によって上蓋３に設けられた扇型突起物４が圧迫されることで、三角形の空洞９がピストン運動の圧迫により潰れた後、図５の示すように男性器を刺激するピストン運動が本筒型マッサージ具から離れた際に、圧迫で潰れた三角形の空洞９が復元し筒型マッサージ具全体が振動することで、圧迫ではなく振動による摩擦によって底部６と密着した鼠径部リンパ節をマッサージすることができる。
【００２６】上記筒型マッサージ具は、中心の穴２に男性器を通し底部６を恥骨へ密着させるという簡潔な方法で、男性器を刺激する単一のピストン運動によって鼠径部のリンパ節へ副次的にマッサージを加えることを可能にするもので、男性器を刺激するピストン運動と簡易的なリンパマッサージを併行して行い効率的な血行促進を促すことを可能にするものである。
【産業上の利用可能性】
【００２７】上述の発明は男性器をピストン運動によって男性器を刺激しながら、簡易的なリンパマッサージを併行して行い効率的に血行の促進を促すことのできる筒型マッサージ具として利用可能である。
【符号の説明】
【００２８】１  底部窪み
２  中心の穴
３  上蓋
４  扇型突起物
５  底部窪みスリット
６  底部
７  一対のスリット
８  非貫通スリット
９  三角形の空洞
１０  内部側壁
【図１】
2016087389.tif 000003
【図２】
2016087389.tif 000004
【図３】
2016087389.tif 000005
【図４】
2016087389.tif 000006
【図５】
2016087389.tif 000007
【図６】
2016087389.tif 000008